(57)【特許請求の範囲】
【請求項１】
上端には中心軸に沿って内側に備えられる一定深さのスクリュー締結具（２２）と、その外周面上に形成されるネジ部（２４）を有するフィクスチャー（２０）を有する歯科用インプラントの構造において、
前記フィクスチャー（２０）の上端に密着結合され、外周面上側にはロック溝（３２）が形成されているアバットメント（３０）と、
前記アバットメント（３０）を介してフィクスチャー（２０）のスクリュー締結具（２２）に締結され、上部にはアバットメント（３０）のロック溝（３２）と連通するスリーブ挿入溝（４２）が形成されているスクリュー（４０）と、
前記アバットメント（３０）のロック溝（３２）及びスクリュー（４０）のスリーブ挿入溝（４２）に挿入・結合されるロックスリーブ（５０）とから構成され、
前記ロックスリーブ（５０）はスクリュー（４０）のスリーブ挿入溝（４２）に挿入・位置するボディ部（５２）と、前記ボディ部（５２）と一体化され、アバットメント（３０）のロック溝（３２）に安着・支持される突起部（５４）とからなることを特徴とする
歯科用インプラントの構造。
【請求項２】
前記スクリュー（４０）のスリーブ挿入溝（４２）が２つ〜３つ備えられ、そのうちいずれか一つに対応するようにアバットメント（３０）のロック溝（３２）が形成されることを特徴とする請求項１記載の歯科用インプラントの構造。
【請求項３】
前記スクリュー（４０）のスリーブ挿入溝（４２）及びアバットメント（３０）のロック溝（３２）がそれぞれ２つずつ形成されることを特徴とする請求項１記載の歯科用インプラントの構造。
【請求項４】
前記スクリュー（４０）のスリーブ挿入溝（４２）及びアバットメント（３０）のロック溝（３２）がそれぞれ３つずつ形成されることを特徴とする請求項１記載の歯科用インプラントの構造。
【発明の詳細な説明】
【０００１】
【発明が属する技術分野】
本発明は歯科用インプラント（Dental Implant）に係り、より詳細には喪失した歯牙が位置していた顎骨内に埋植して人工的に歯牙の機能を果たせるようにした歯科用インプラント（Dental Implant）に関する。
【０００２】
【従来の技術】
現代歯医学分野では色々な原因によって喪失した歯牙の機能を回復させる方法に関する研究が継続的に進められており、それによる臨床実験も活発に行われている。そのうち、最も普遍的に用いられている方法は、隣接する歯牙を利用して喪失した歯牙の機能を回復させるクラウンブリッジ（一般に歯を入れると言う。）を使用するか、或いは隣接する歯牙と歯茎（顎骨）を同時に利用して歯牙の機能を回復させる局部義歯または総義歯（一般に部分入れ歯または総入れ歯と言う。）を使用して喪失した歯牙を代替することである。
【０００３】
しかし、上記のクラウンブリッジは隣接する健康な歯牙を切削しなければならないというデメリットがあるのみならず、喪失した歯牙が多い場合はその機能を維持しながら交合圧に耐えるのに限界があり、局部義歯または総義歯は使用及び保管上の不便さが多く挙げられた。
【０００４】
最近、歯医学分野には多くの技術革新が行われ、現代の発展した技術は人体に無害ながらも拒否反応が少なくて、長期間人体に付着されていても生理学的な障害が発生しないチタン素材の人工歯牙、即ちインプラント（implant）の開発に至った。
【０００５】
図１に示すように、従来大部分の歯科用インプラント（Dental Implant）は、ネジ部１を有するフィクスチャー（fixture）２の上端にアバットメント（abutment）３が一体に結合された状態で、スクリュー（screw）４を利用して前記フィクスチャー２とアバットメント３を互いに強固に固定する構造をとっている。（例えば、非特許文献１、２、３参照。）
しかし、前述した構造の歯科用インプラント１０は一般的なスクリュー４を利用してフィクスチャー２とアバットメント３を結合するので、外部から衝撃が加わると、スクリュー４の締結状態が緩んでしまうことが頻繁に発生し、さらに酷い場合にはスクリュー４自身が損傷を被ることがあった。
【０００６】
また、スクリュー４の締結状態を周期的に点検しなければならないため、医者だけでなく患者にとっても極めて不便で煩わしく、それによる経済的費用も無視できない額になった。
【００７】
【非特許文献１】
佐藤裕二・小濱忠一共著、「インプラント補綴治療のパラダイムシフト―補綴治療としての目標と上部構造の設計指針―」、補綴臨床、２０００年、３３巻、１号、ｐ１７〜３０
【非特許文献２】
Ken Keating著、「Connecting abutments to dental implants」、IRISH DENTIST、２００１年７月、ｐ４３〜４６
【非特許文献３】
Indira G. Sahiwal, BDS, DMD, MS, Ronald D.Woody, DDS, Byron W. Benson, DDS, MS, and Guillermo E. Guillen, DDS共著、「Macro design morphology of endoseous dental implants」、THE JOURNAL OF PROSTHETIC DENTISTRY、２００２年５月、ｐ５５１〜５５３
【０００８】
【発明が解決しようとする課題】
本発明は、かかる従来の問題点を鑑みてなされたもので、インプラントのスクリュー緩みを根本的に防止することができる歯科用インプラントの構造を提供することにある。
【０００９】
【課題を解決するための手段】
上記目的を達成するための本発明は、上端には中心軸に沿って内側に備えられる一定深さのスクリュー締結具と、その外周面上に形成されるネジ部を有するフィクスチャー（fixture）を有する歯科用インプラントの構造において、前記フィクスチャーの上端に密着結合され、外周面上側にはロック溝が形成されているアバットメント（abutment）と、前記アバットメントを介してフィクスチャーのスクリュー締結具に締結され、上部にはアバットメントのロック溝と連通するスリーブ挿入溝が形成されているスクリュー（screw）と、前記アバットメントのロック溝及びスクリューのスリーブ挿入溝に挿入・結合されるロックスリーブ（locking sleeve）とから構成され、前記ロックスリーブはスクリューのスリーブ挿入溝に挿入・位置するボディ部と、前記ボディ部と一体化され、アバットメントのロック溝に安着・支持される突起部とからなることを特徴とする。
【００１０】
【発明の実施の形態】
以下、添付図を参照して本発明の好適な実施例を説明する。
図２は本発明に係るインプラントの分解斜視図であり、図３は本発明に係る図２の結合斜視図であり、図４は本発明に係る図３のＡ―Ａ線断面図である。
【００１１】
同図に示すように、上端には中心軸に沿って内側に備えられる一定深さのスクリュー締結具２２及び外周面上に形成されるネジ部２４を有するフィクスチャー（fixture）２０と、前記フィクスチャー２０の上端に密着結合され、外周面上側にはロック溝３２が形成されているアバットメント（abutment）３０と、前記アバットメント３０を介してフィクスチャー２０のスクリュー締結具２２に締結され、上部にはアバットメント３０のロック溝３２と連通するスリーブ挿入溝４２が形成されているスクリュー（screw）４０と、前記アバットメント３０のロック溝３２及びスクリュー４０のスリーブ挿入溝４２に挿入・結合されるロックスリーブ（locking sleeve）５０とから構成される。
【００１２】
前記フィクスチャー２０の上端には六角形状の結合部２６が形成され、それと対応・結合されるアバットメント３０下端には凹部３４が備えられ、結合時に回転を防止することができる構造をとっている。そして、その結合構造は必要に応じて多様な形態に変形可能である。
【００１３】
前記アバットメント３０はテーパ状をなし、異物質の流入を防止するために、フィクスチャー２０と密閉状態を維持する。
【００１４】
前記スクリュー４０はフィクスチャー２０とアバットメント３０を結合・固定させる役割を担当し、フィクスチャー２０のスクリュー締結具２２と結合される下部には螺旋部が形成されている。そして、スクリュー４０のスリーブ挿入溝４２は作業工具による回転、即ち結合または分離を容易にするために、少なくとも２個以上を形成することが望ましい。
【００１５】
一方、前記ロックスリーブ５０はスクリュー４０の緩みを防止するための手段として用いられ、スクリュー４０のスリーブ挿入溝４２に挿入・位置するボディ部５２と、前記ボディ部５２と一体化され、アバットメント３０のロック溝３２に安着・支持される突起部５４とからなる。
【００１６】
図５は本発明に係る歯科用インプラントのアバットメント、固定スクリュー及びロックスリーブの結合状態を示す平断面図であり、図６は本発明に係る歯科用インプラントの他の実施例を示す平断面図であり、図７は本発明に係る歯科用インプラントのその他の実施例を示す平断面図である。
【００１７】
図５に示すように、スクリュー４０のスリーブ挿入溝４２が２つ形成され、そのうちいずれか一つに選択的にアバットメント３０のロック溝３２が備えられ、ロックスリーブ５０が挿入・結合できるように構成されている。そして、図６及び図７に示すように、スクリュー４０のスリーブ挿入溝４２及びアバットメント３０のロック溝３２がそれぞれ２つずつまたは３つずつ形成され、そのそれぞれにロックスリーブ５０が挿入・結合できるように構成することにより、その結合状態をより強固にすることができる。
【００１８】
前記スクリュー４０のスリーブ挿入溝４２は必要に応じて複数個を形成することができるが、インプラントの大きさが小さいので、相対的に多数のスリーブ挿入溝４２を形成するには構造的な限界がある。よって、２〜３つ程度が最も好ましい。
【００１９】
図８は本発明に係る歯科用インプラントの使用状態図であり、作業の性格によって計３工程に任意分類してその細部的な内容を簡単に説明する。
【００２０】
（１）第１工程：歯牙が喪失した位置の顎骨６０内にフィクスチャー２０を植立した後、強固に結合されるまで待つ工程。
この際、上顎は６ヶ月、下顎は４ヶ月程度の期間がかかる。
（２）第２工程：フィクスチャー２０の上部にアバットメント３０を密着・連結させた状態でスクリュー４０を利用して強固に固定させる工程。
（３）第３工程：アバットメント３０上にクラウン（crown）、義歯（denture）などのような最終補綴物７０を装着することにより、施術が完了する工程。
以上の方法が、歯科のインプラントの施術で通常用いられている方法である。
【００２１】
【発明の効果】
以上説明したように本発明によると、歯科用インプラントにロックスリーブを適用することにより、既存に頻繁に発生したスクリュー緩みを根本的に防止することができる。
【００２２】
従って、施術の効率性をより高めるとともに、患者の不便さを解消することができ、追加的に発生したメンテナンス費用を低減することができて経済的な側面でも有利である。
【図面の簡単な説明】
【図１】  従来の歯科用インプラントの一実施例を示す断面図である。
【図２】  本発明に係る歯科用インプラントの分解斜視図である。
【図３】  本発明に係る図２の結合斜視図である。
【図４】  本発明に係る図３のＡ―Ａ線断面図である。
【図５】  本発明に係る歯科用インプラントのアバットメント、固定スクリュー及びロックスリーブの結合状態を示す平断面図である。
【図６】  本発明に係る歯科用インプラントの他の実施例を示す平断面図である。
【図７】  本発明に係る歯科用インプラントのその他の実施例を示す平断面図である。
【図８】  本発明に係る歯科用インプラントの使用状態図である。
【符号の説明】
１０…インプラント
２０…フィクスチャー
２２…スクリュー締結具
２４…ネジ部
３０…アバットメント
３２…ロック溝
４０…スクリュー
４２…スクリュー挿入溝
５０…ロックスリーブ
５２…ボディ部
５４…突起部
【図１】
0003725112.tif 000002
【図２】
0003725112.tif 000003
【図３】
0003725112.tif 000004
【図４】
0003725112.tif 000005
【図５】
0003725112.tif 000006
【図６】
0003725112.tif 000007
【図７】
0003725112.tif 000008
【図８】
0003725112.tif 000009